(57)【特許請求の範囲】
【請求項１】
型枠を装着し前記型枠内部に充填剤を充填する建築工法における型枠構造において、
上記型枠構造は、型枠と型枠支持金具とを備え、
上記型枠の一方の端部は設置面と当接するように設けられ、上記設置面と距離をおいて板状の構造物が設けられており、
上記型枠支持金具は、支持部と上記支持部から設置面の方向に伸びる脚部とを備え、
上記支持部には、クランプからの力を受ける力点部と上記支持部から上記構造物の方向に突出して設けられた支点部とを備え、
上記支持部の外側面から上記支点部の先端までの距離は上記型枠の厚みよりも長く設けられており、
上記構造物と上記力点部とはクランプにより固定され、上記支点部の先端は上記構造物の外側面と当接し、上記支点部が支点となり上記脚部が回動するものであり、
上記脚部の内側面が上記型枠の外壁面に当接され、上記型枠が上記型枠支持金具と上記構造物とに強く挟み込まれたことを特徴とする型枠構造。
【請求項２】
上記板状の構造物がＨ形鋼であり、
上記支持部の外側面には、クランプからの力を受ける力点部が設けられており、
上記支持部の内側面の上端部には、上記支持部の内側面の長辺方向に沿って上記板状の構造物の方向に突出した支点部が設けられており、
上記脚部は上記支持部の外側面の両側部に連設され、上記脚部の内側面には押さえ面が設けられており、
上記構造物の内側面と上記力点部とはクランプにより固定され、
上記押さえ面が上記型枠の外壁面に当接され、上記型枠が上記型枠支持金具と上記構造物とに強く挟み込まれたことを特徴とする請求項１に記載の型枠構造。
【請求項３】
請求項２に記載の型枠構造を用いて型枠内部に充填剤を充填する建築工法において、
少なくとも一対の上記型枠の一方の端部と上記設置面とを当接するよう設ける工程と、
上記構造物の内側面と上記力点部とをクランプにより固定し上記型枠を上記型枠支持金具と上記構造物とに強く挟み込ませる工程と、
上記構造物と上記設置面とを充填剤により接合する工程とを備え、
上記構造物の内側面と上記型枠の内壁面と上記設置面とで囲まれた空間に充填剤を充填することで上記設置面と上記構造物とを充填剤により接合したことを特徴とする上記型枠構造を用いた建築工法。
【発明の詳細な説明】
【技術分野】
【０００１】
本願発明は、建築分野において、コンクリートやモルタル等の充填剤を充填するために用いる型枠構造及びその型枠構造を用いた建築工法に関するものである。
【背景技術】
【０００２】
コンクリートやモルタル等の充填剤を充填する際、従来から行われている型枠の取り付け方法としては、図５に示すように、充填剤と接するせき板７２とせき板７２を補強するリブ７３とからなる型枠７１を対向するよう配設し、その型枠７１を補強するばた材７４及びセパレータ７５、フォームタイ７６、Ｐコン７７、座金７８などの緊結材を用いて型枠を締め付ける方法（以下、従来方式と称する）が知られている。（フォームタイは岡部株式会社の登録商標である。）
【０００３】
また、耐震補強工法として、特許文献１では、従来方式に改良を加えた固定金具による型枠工法及びその工法に用いる耐震補強工材が提案されている。
【先行技術文献】
【特許文献】
【０００４】
【特許文献１】特開２００１−１８２３３６号公報
【発明の概要】
【発明が解決しようとする課題】
【０００５】
従来方式による型枠の取り付けには、上述の通り複数の部材が使用されているため、設置や解体が煩雑であり、かつ時間を要する。また、上記部材の現場への運搬や保管にも労力を要する。
【０００６】
また、特許文献１による型枠の取り付け方法は、型枠の下方の端部をスピードフック基材なる型枠の間隔を保持する型枠保持部材で固定し型枠の上方の端部を固定金具により固定しているが、型枠保持部材を用いない場合は、充填剤を注入すると充填剤の圧力により型枠が変形し、型枠の外面とコンクリート母材との角部に設けられたシール材が破壊され充填剤が漏れる恐れがある。
【０００７】
また、本願の発明者は、従来方式におけるせき板に相当する型枠とその型枠を支持する型枠支持金具とからなり、型枠の一方の端部をコンクリート母材等の設置面と当接させ、設置面と距離をおいて設けられた板状の構造物と型枠支持金具とをクランプにより固定することにより型枠を構造物と型枠支持金具とで狭持する型枠構造を開発した。しかしながら、本願発明と比して型枠支持金具にてこの原理の支点となる支点部を設けなかったことから型枠支持金具に備えられた脚部を回動させることができず、取り付けられた型枠内部に充填剤を注入すると充填剤の圧力により型枠が変形し、型枠の外面と設置面との角部に設けられたシール材が破壊され充填剤が漏れてしまい、充填剤充填時の強固な型枠狭持力の保持及び充填剤の漏れ防止という期待していた効果を発揮することができないでいた。
【０００８】
本願発明はこのことに鑑み、簡易な構造ながら強固な型枠の狭持力を保持し、充填剤充填時の型枠の破損や変形による充填剤の漏れを防止することができる型枠構造及びその型枠構造を用いた建築工法を提供することを課題とする。より望ましくは、型枠の取り付けや解体作業が容易にかつ迅速に行うことができる型枠構造及びその型枠構造を用いた建築工法の提供を図らんとするものである。
【課題を解決するための手段】
【０００９】
上記課題を解決するために、本願の請求項１に記載の発明は、型枠を装着し前記型枠内部に充填剤を充填する建築工法における型枠構造において、上記型枠構造は、型枠と型枠支持金具とを備え、上記型枠の一方の端部は設置面と当接するように設けられ、上記設置面と距離をおいて板状の構造物が設けられており、上記型枠支持金具は、支持部と上記支持部から設置面の方向に伸びる脚部とを備え、上記支持部には、クランプからの力を受ける力点部と上記支持部から上記構造物の方向に突出して設けられた支点部とを備え、上記支持部の外側面から上記支点部の先端までの距離は上記型枠の厚みよりも長く設けられており、上記構造物と上記力点部とはクランプにより固定され、上記支点部の先端は上記構造物の外側面と当接し、上記支点部が支点となり上記脚部が回動するものであり、上記脚部の内側面が上記型枠の外壁面に当接され、上記型枠が上記型枠支持金具と上記構造物とに強く挟み込まれたことを特徴とする型枠構造を提供する。
【００１０】
また、本願の請求項２に記載の発明は、上記板状の構造物がＨ形鋼であり、上記支持部の外側面には、クランプからの力を受ける力点部が設けられており、上記支持部の内側面の上端部には、上記支持部の内側面の長辺方向に沿って上記板状の構造物の方向に突出した支点部が設けられており、上記脚部は上記支持部の外側面の両側部に連設され、上記脚部の内側面には押さえ面が設けられており、上記構造物の内側面と上記力点部とはクランプにより固定され、上記押さえ面が上記型枠の外壁面に当接され、上記型枠が上記型枠支持金具と上記構造物とに強く挟み込まれたことを特徴とする請求項１に記載の型枠構造を提供する。
【００１１】
また、本願の請求項３に記載の発明は、請求項２に記載の型枠構造を用いて型枠内部に充填剤を充填する建築工法において、少なくとも一対の上記型枠の一方の端部と上記設置面とを当接するよう設ける工程と、上記構造物の内側面と上記力点部とをクランプにより固定し上記型枠を上記型枠支持金具と上記構造物とに強く挟み込ませる工程と、上記構造物と上記設置面とを充填剤により接合する工程とを備え、上記構造物の内側面と上記型枠の内壁面と上記設置面とで囲まれた空間に充填剤を充填することで上記設置面と上記構造物とを充填剤により接合したことを特徴とする上記型枠構造を用いた建築工法を提供する。
【発明の効果】
【００１２】
本願の請求項１又は２の発明では、型枠と型枠支持金具とから構成された簡易な構造ながら、型枠の一方の端部は設置面と当接するように設けられ、かつ構造物と型枠支持金具とをクランプにより固定することで、てこの原理により上記金型支持金具が回動し、上記脚部の内側面に設けられた押さえ面が上記型枠の外壁面に当接し上記型枠が上記型枠支持金具と上記構造物とに強く狭持されることにより、充填剤充填時の充填剤の充填圧に耐えうる剛性を有し、充填剤充填時の型枠の破損や変形による充填剤の漏れを防止することができる型枠構造を提供することができたものである。
本願の請求項３の発明では、請求項２の発明の効果に加え、上記型枠構造を用いて型枠を取り付け、上記構造物の内側面と上記型枠の内壁面と上記設置面とで囲まれた空間に充填剤を充填することにより、充填剤充填時の型枠の破損や変形による充填剤の漏れが防止できるとともに上記設置面と上記構造物とを充填剤により強固に接合できる建築工法を提供することができたものである。
【図面の簡単な説明】
【００１３】
【図１】本願発明に係る型枠構造を用いた建築工法を示す縦断面図である。
【図２】本願発明に係る型枠構造における型枠支持金具の（Ａ）正面図、（Ｂ）左側面図、及び（Ｃ）Ａ−Ａ拡大断面図である。
【図３】（Ａ）〜（Ｅ）は、それぞれ他の実施の形態における型枠支持金具の支点部を示す部分拡大左側面図である。
【図４】（Ａ）〜（Ｂ）は、それぞれ他の実施の形態における型枠支持金具の左側面図である。
【図５】従来方式における型枠の取り付け方法を示す説明図である。
【発明を実施するための形態】
【００１４】
以下、図面に基づき本願発明の実施の形態の一例を取り上げて説明する。なお、本願の請求項及び明細書の記載における上下左右の表現は、相対的な位置関係を示すにとどまり、絶対的な位置関係を特定するものではない。
【００１５】
（型枠構造の構成）
本願発明に係る型枠構造１は、図１に示すように、型枠１１と型枠支持金具３１とから構成される。
【００１６】
（型枠の形状）
型枠１１は、図１に示すように、断面が矩形の板状体である。上記型枠１１の材質としては特に制限はなく、合板製、金属製、アルミニウム合金製、紙製等の種々の材質の型枠を用いることができる。また、充填剤６１の充填状況が確認できるよう透明の型枠１１を用いてもよい。本実施例においては、コンパネ（コンクリート型枠用合板）と呼ばれる合板製の型枠１１を用いている。また、上記型枠１１の大きさ及び比率は任意に選択することができ、さらに、上記型枠１１には、後述するように充填剤を充填するが、型枠解体時に充填した充填剤６１をはがしやすくするために、必要に応じて剥離剤を塗布してもよい。
【００１７】
（充填剤の注入口）
上記型枠１１の下部の長手方向には、図１に示すように、充填剤６１を充填する注入口１６が設けられている。また、上記注入口１６に接続金具１７を介して注入ホース１８を接続することにより、充填剤６１が上記注入口１６から充填される。上記注入口１６の位置や注入ホース１８の接続形式については適宜変更することができる。
【００１８】
（空気・水の抜き孔）
また、上記型枠１１には、必要に応じて、充填剤６１の充填時に残留する空気を抜くための抜気孔や、水を抜くための水抜き孔を設けてもよい。
【００１９】
（型枠の配設）
上記型枠１１の上下方向の一方の端部は、設置面５１と当接するように設けられており、上記設置面５１と距離をおいて板状の構造物５２が設けられ、上記型枠１１の他方の端部は上記構造物５２と当接するよう設けられている。本実施例においては、図１に示すように、上記型枠の下方の端部１５は、上記設置面５１と略垂直に当接しており、また、上記型枠の上方の端部１４は、上記構造物の外側面５４と当接している。また、上記型枠の外壁面１３と上記設置面５１との角部には、シール材６２を設けている。
【００２０】
（設置面の構成）
設置面５１としては、充填剤６１を注入充填する土台や耐震補強における既存建物の躯体等が挙げられる。
【００２１】
（構造物の構成）
上記設置面５１と距離をおいて設けられる板状の構造物５２としては、鋼板やＨ形鋼やＩ形鋼などの各種形鋼等が挙げられる。本実施例としては、上記構造物５２としてＨ形鋼を用いており、上記型枠の上方の端部１４が上記構造物の外側面５４、つまり上記Ｈ形鋼の両側部のフランジの外側面と当接している。
【００２２】
（型枠支持金具の構成）
型枠支持金具３１は、図１に示すように、クランプ４１を用いて上記構造物５２とともに上記型枠の両側面１２，１３を狭持するもので、図２（Ａ）〜図２（Ｂ）に示すように、支持部３２と脚部３５とから構成される。上記型枠支持金具３１の材質としては特に制限はなく、後述するように、固定に用いるクランプ４１からの力に耐えうる強度と摺動性とを備えている材質であれば、金属製、アルミニウム合金製、合成樹脂等の種々の材質を用いることができる。本実施例においては、鋼製の型枠支持金具３１を用いている。上記型枠支持金具３１は、固定するクランプ４１とともに上記型枠１１の長手方向に対して所定間隔をおいて多数設けられている。
【００２３】
（支持部の構成）
支持部３２は、図２（Ａ）に示すように、矩形板状体で、型枠支持金具３１の中央に位置する。図２（Ａ）〜図２（Ｃ）に示すように、支持部の内側面３３の上端部には、溶接等で取り付けられた断面が円弧状の支点部３７が、支持部の内側面３３の長辺方向に沿って、支持部の内側面３３に対して突出して設けられている。また、上記支持部の内側面３３に対向する外側面３４には、後述するように、クランプ４１で固定され、クランプ４１からの力を受ける力点部３９が設けられている。
【００２４】
（支持部の厚みと型枠の厚み）
上記支持部３２の厚み（上記支持部の外側面３４から上記支持部の内側面３３までの距離）と上記型枠１１の厚み（上記型枠の外壁面１３から上記型枠の内壁面１２までの距離）とは等しくなるよう設定され、また、上記支持部の外側面３４から上記支点部の先端３８までの距離は上記型枠１１の厚みよりも長くなるよう設定されている。
【００２５】
（支持部の形状）
上記支持部３２の形状は特に制限されず、例えば楕円形や四角形以外の多角形等の、上記支持部３２に力点部３９を設けることができれば、どのような形状でもよい。
【００２６】
（脚部の構成）
脚部３５は、図２（Ａ）〜図２（Ｂ）に示すように、矩形板状体で、上記支持部の外側面３４の両側部に溶接等で取り付けられており、上記支持部の外側面３４に対して垂直方向に突出しており、上下方向においては、上記支持部の外側面３４の両側部から下方に伸びるように設けられている。また、脚部の内側面３６には、後述するように、型枠の外壁面１３に当接される押さえ面４０が設けられている。
【００２７】
（建築工法：前処理）
次に、上記型枠構造１を用いた建築工法の具体的手順の一例を説明する。まず、設置面５１の清掃や目荒らし、プライマーの塗布等を必要に応じて施しておく。
【００２８】
（構造物の配置）
次に、設置面５１と距離をおいて、板状の構造物５２を配置する。本実施例では、図１に示すように、構造物５２として、Ｈ形鋼を用いる。上記Ｈ形鋼の両側部であるフランジのうち、一方のフランジ（図示右側）の下部をあらかじめ切除した左右非対称となっている。
【００２９】
（型枠の配置）
次に、図１に示すように、上記構造物の外側面５４，５４、つまりＨ形鋼のフランジの両外側面に、上記構造物５２と上記設置面５１の隙間を塞ぐように一対の型枠１１，１１を配置する。より詳しくは、前述したように、上記型枠の下方の端部１５，１５は、上記設置面５１と略垂直に当接するよう配置され、上記型枠の上方の端部１４，１４は、上記構造物の外側面５４，５４と当接するよう配置されている。上記構造物の外側面５４と上記型枠の上方の端部１４との当接長（重なり代）は、上記構造物の外側面５４と上記型枠の上方の端部１４とが当接することで上記型枠１１の垂直度が保たれればよく、本実施例においては、３０ｍｍ以上となるよう設定されている。また、上記型枠１１と上記構造物の外側面５４との間には、後述する充填剤充填時の充填剤の漏れ防止を強化すべく防水テープ６３を介在させる。本実施例においては、上記防水テープ６３は上記型枠の内壁面１２の長手方向に対して連続して設けられ、上記型枠の内壁面１２と上記構造物の外側面５４の下方の端部との間に介在させている。上記防水テープ６３を設ける位置は、上下方向において、上記型枠１１，１１と、上記構造物の外側面５４，５４とが当接している範囲であればどの位置に設けてもよい。また、型枠１１の上下方向の長さ、つまり、上記型枠１１の高さは、前述の通り任意に選択することができるが、上記構造物５２の側部であるＨ形鋼のフランジのうち、下部を切除したフランジの外側面に配置される型枠１１と下部を切除していないフランジの外側面に配置される型枠１１のそれぞれの高さを等しく設けてもよいし、また、例えば、下部を切除したフランジの外側面に配置される型枠１１の高さを高く設けるよう高低差を付けてもよい。
【００３０】
（型枠支持金具による型枠の固定）
次に、クランプ４２を用いて、上記型枠１１の下方を上記構造物５２と上記型枠支持金具３１とで狭持する。より詳しくは、図１に示すように、上記構造物の内側面５３の上方、つまりＨ形鋼のフランジの内側面の上方と力点部３９とをクランプ４１により固定する。すると、上記構造物の外側面５４と上記支点部の先端３８とが当接し、てこの原理により、上記力点部３９はクランプ４１からの力を受け、上記支点部３７が支点となり、上記脚部３５が回動することができる。さらに、上記脚部３５が回動することにより上記脚部の内側面３６にある押さえ面４０が上記型枠の外壁面１３に当接され、上記型枠１１が上記型枠支持金具３１と上記構造物５２とに強く狭持される。上記脚部の内側面３６と上記型枠の外壁面１３との当接長（重なり代）、つまり押さえ面４０の上下方向の長さは、本実施例においては、図１において、上記構造物の外側面５４の下端、より詳しくは上記構造物５２の側部であるＨ形鋼のフランジのうち、下部を切除したフランジの外側面の下端よりも下でかつシール材６２を設ける等の作業上必要な空間よりも上となるように設定され、少なくとも上記脚部３５の上下方向において下方に設定されている。上記型枠支持金具３１は、固定するクランプ４１とともに上記型枠１１の長手方向に対して所定間隔をおいて多数設けられている。
【００３１】
（型枠支持金具の支点部の位置・長さ・形状）
上述のように、クランプ４１で固定された型枠支持金具３１は、てこの原理により脚部３５が回動する。上記型枠支持金具３１の支点部３７の位置は、上下方向において、力点部３９よりも上方に設ければ必ずしも支持部の内側面３３の上端部に設ける必要はなく、図３（Ａ）または図３（Ｅ）に示すように、支持部の内側面３３の中央よりやや上方に設けてもよい。また、本実施例においては、上記支点部３７の断面は円弧状であったが、上記支点部３７の断面形状は特に限定されず、例えば、図３（Ｂ）〜（Ｃ）のように、円形や矩形を含む多角形等、上記支点部３７が支点として作用することができれば上記支点部３７の断面形状はどのような形状でもよく、図３（Ｄ）に示すように、支持部３２の断面形状を下すぼまりの台形とし、支持部の内側面３３の上端を支点部３７としてもよい。さらに、本実施例においては、上記支持部３２は１枚の矩形板状体から形成されているが、図３（Ｅ）に示すように、支持部３２を２枚の矩形板状体から形成し、上方の矩形板状体に支点部３７を設け、下方の矩形板状体に力点部３９を設ける形状としてもよい。
【００３２】
（型枠支持金具の脚部の位置・長さ・形状）
また、上記脚部３５の上下方向の長さ、つまり上記脚部３５の高さは、クランプ４１で固定された際に、上記型枠の外壁面１３に当接する長さ以上に設定すればよい。また、上記脚部３５の厚みは、少なくとも上記脚部３５の左右方向の長さ、つまり上記脚部３５の幅よりも短く設定する。上記脚部３５の厚みが厚くなると、上記脚部の押さえ面４０と型枠の外壁面１３との当接面積が大きくなり上記型枠１１を押さえる範囲が広くなる反面、充填剤充填時の充填圧による反発力を受けやすく、特に、上記脚部３５の厚みが上記脚部３５の幅より大きくなると、上記反発力の影響を受け相対的に型枠の狭持力が弱くなるためである。よって、上記脚部３５の高さ及び厚みは、上記型枠１１との当接面積や充填剤充填時の充填圧による反発力、組立や解体等の作業性等を考慮の上、設定すればよい。また、上記脚部３５の形状は、特に限定されず、例えば図４（Ａ）又は図４（Ｂ）に示すように、上記脚部３５の内側面側に押さえ面４０よりも上方にテーパや円弧形状を設けてもよいし、また、上記脚部３５の断面形状は円形や多角形等でもよく、上記脚部３５を備える上記型枠支持金具３１と上記構造物５２とで上記型枠１１を強く狭持することができれば、矩形板状体以外の他の形状でもよい。
【００３３】
（充填剤充填）
次に、注入口１６に接続金具１７を介して注入ホース１８を接続し、上記型枠の外壁面１３と上記設置面５１との角部に、モルタルシールやエポキシ樹脂等のシール材６２を設けて密封する。その後、上記注入ホース１８から上記構造物の内側面５３と上記型枠の内壁面１２，１２と上記設置面５１とで囲まれた空間に充填剤６１を注入充填する。
【００３４】
（充填剤の種類）
上記充填剤６１としては、セメントやモルタル等が挙げられ、養生時の収縮が少ない無収縮モルタルも用いられる。本実施例においては、無収縮モルタルを用いている。また、充填剤６１を充填する前に、アンカーボルトやスパイラル筋を所定箇所に配設して補強することが好ましい。
【００３５】
（型枠構造・工法の利点）
本願発明に係る型枠構造１は、型枠１１と型枠支持金具３１とから構成された簡易な構造ながら、型枠１１の一方の端部は設置面５１と当接し、かつ構造物５２と型枠支持金具３１とをクランプ４１により固定することで、てこの原理により力点部３９はクランプ４１からの力を受け上記支点部３７が支点となり上記脚部３５が回動し、上記脚部の内側面３６に設けられた押さえ面４０が上記型枠の外壁面１３に当接し上記型枠１１が上記型枠支持金具３１と上記構造物５２とに強く狭持されることにより、充填剤６１の充填時の充填剤６１の充填圧に耐えうる剛性を有し、充填剤６１充填時の型枠１１の破損や変形による充填剤６１の漏れを防止することができる。また、従来方式に比べ、型枠取り付け時の部材の点数が少なく、また型枠構造１が簡易な構造であることから、取り付けや解体も容易にかつ迅速に行うことができ、かつ工期の短縮を図ることができる。さらに、特許文献１による型枠の取り付け方法に比べ、型枠の間隔を保持する型枠保持部材を用いずとも型枠構造１の充填圧による剛性を向上させ、また、型枠１１に接する注入充填された充填剤６１の平滑度をも向上させる。
本願発明に係る型枠構造１を用いた建築工法は、上記型枠構造１を用いることで、構造物５２の内側面５３と型枠の内壁面１２，１２と設置面５１とで囲まれた空間に充填剤６１を充填する際に、充填時の型枠１１の破損や変形による充填剤６１の漏れが防止できるとともに上記設置面５１と上記構造物５２を充填剤６１により強固に接合することができる。
【００３６】
（用途）
本願発明に係る型枠構造１及びその型枠構造１を用いた建築工法は、例えば新規建物の土台や耐震補強における既存建物の補強等での充填剤を注入充填時に使用される型枠構造に適用することができる。
【符号の説明】
【００３７】
１      型枠構造
１１    型枠
１２    型枠の内壁面
１３    型枠の外壁面
１４    型枠の上方の端部
１５    型枠の下方の端部
３１    型枠支持金具
３２    支持部
３３    支持部の内側面
３４    支持部の外側面
３５    脚部
３６    脚部の内側面
３７    支点部
３８    支点部の先端
３９    力点部
４０    押さえ面
４１    クランプ
５１    設置面
５２    構造物
５３    構造物の内側面
５４    構造物の外側面
６１    充填剤
【図１】
0005461312.tif 000002
【図２】
0005461312.tif 000003
【図３】
0005461312.tif 000004
【図４】
0005461312.tif 000005
【図５】
0005461312.tif 000006